(57)【要約】【課題】簡単な構造によって、電子レンジで調理しているような状態をリアルに実現する。【解決手段】以下の要件を備えたこと。（イ）料理を模した料理小物部材Ａと、電子レンジを模した玩具本体Ｂとから成り、料理小物部材Ａは、表裏にそれぞれ調理前、調理後の造型を有する料理部材１と容器部材２とからなり、料理部材１の内部には第１の磁石３を有すること（ロ）玩具本体Ｂ内の、料理小物部材Ａを収納する収納部５の上方又は下方には、第２の磁石４が上下動操作可能に配置されていること（ハ）料理小物部材Ａが収納されたとき、第１の磁石３の磁性と第２の磁石４の磁性が反発するように配置されること【選択図】図４
2005034440.tif 000002
【特許請求の範囲】
【請求項１】
以下の要件を備えたことを特徴とするままごと玩具。
（イ）料理を模した料理小物部材と、電子レンジを模した玩具本体とから成ること
（ロ）上記料理小物部材は、表裏にそれぞれ調理前、調理後の造型を有する料理部材と、料理部材を反転可能に収納した容器部材とからなり、料理部材の内部には第１の磁石を有すること
（ハ）玩具本体内には、料理小物部材を収納する収納部が設けられ、上記収納部の上方又は下方には、第２の磁石が上下動操作可能に配置されていること
（ニ）上記料理小物部材が、上記料理部材の表側を上にして収納部内に収納されたとき、料理小物部材の第１の磁石の磁性と、玩具本体内の第２の磁石の磁性が反発するように配置されること
【請求項２】
前記玩具本体には、前記第２の磁石を上下動させる動作機構と、その操作部と、ベルの叩き機構が設けられているとともに、上記操作部の操作による磁石の動作機構とベルの叩き機構とは連動するように設けられている、請求項１記載のままごと玩具。
【請求項３】
前記ベルの叩き機構は、前記操作部と一体に形成された作動部材の作動に連動するハンマー部材の揺動により前記ベルを叩くものである、請求項２に記載のままごと玩具。
【発明の詳細な説明】
【技術分野】
【０００１】
本発明は、電子レンジを模したままごと玩具に関するものである。
【背景技術】
【０００２】
従来から、洗濯機、テレビ、冷蔵庫などの家庭用電化製品だけでなく、野菜や果物を模した玩具も、調理に供されるままごと玩具として製品化されている。
【０００３】
例えば、野菜や果物を模した玩具は、初めから複数個に分割され、互いに面テープなどで一体になっているものを、庖丁玩具で切り離して調理する玩具が知られている。
【０００４】
しかしながら、これらの食べ物玩具は、初めから切離し部が目に見えているのであり、切離し部に庖丁玩具を入れることによって調理の様子を再現しようとするものであって、リアル性にやや乏しいものであった。
【発明の開示】
【発明が解決しようとする課題】
【０００５】
本発明は上記問題点を解消し、簡単な構造によって、電子レンジで調理しているような状態をリアルに実現することができるままごと玩具を提供することをその課題とする。
【課題を解決するための手段】
【０００６】
本発明に係るままごと玩具は、以下の要件を備えたことを特徴とする。
（イ）料理を模した料理小物部材と、電子レンジを模した玩具本体とから成ること
（ロ）上記料理小物部材は、表裏にそれぞれ調理前、調理後の造型を有する料理部材と、料理部材を反転可能に収納した容器部材とからなり、料理部材の内部には第１の磁石を有すること
（ハ）玩具本体内には、料理小物部材を収納する収納部が設けられ、上記収納部の上方又は下方には、第２の磁石が上下動操作可能に配置されていること
（ニ）上記料理小物部材が、上記料理部材の表側を上にして収納部内に収納されたとき、料理小物部材の第１の磁石の磁性と、玩具本体内の第２の磁石の磁性が反発するように配置されること
【０００７】
なお、前記玩具本体には、前記第２の磁石を上下動させる動作機構と、その操作部と、ベルの叩き機構が設けられているとともに、上記操作部の操作による磁石の動作機構とベルの叩き機構とは連動するように設けるのが好ましい。
【０００８】
また、前記ベルの叩き機構は、前記操作部と一体に形成された作動部材の作動に連動するハンマー部材の揺動により前記ベルを叩くように構成すればよい。
【発明の効果】
【０００９】
請求項１に係る発明によれば、第２の磁石を上動するように操作すると、第２の磁石は、玩具本体の収納部内に収納された料理部材の内部の第１の磁石に接近する。２つの磁石において向き合う磁性は同じであるから、その反発力により第１の磁石とともに料理部材は浮き上がって反転する。反転すると、裏側の調理済みの造型が表側に現われるとともに、このときの第１の磁石は第２の磁石と吸着するように作用するので、料理部材は反転した状態で安定する。玩具本体の収納部から料理小物部材を取り出すと、調理済みの造型になっている。したがって、電子レンジによる調理を擬似的にかつリアルに実現することができる。
【００１０】
請求項２に係る発明によれば、さらに、磁石の動作機構とベルの叩き機構とは連動するので、ベルの音がした後に、蓋を開けて料理小物部材を取り出すと、調理済みの状態で現われる。したがって、電子レンジで調理しているような状態をよりリアルに実現することができる。
【００１１】
請求項３に係る発明によれば、操作部と一体に形成された作動部材の作動に連動するハンマー部材の揺動によりベルを叩くから、構造が簡単であり、しかも電子レンジとそっくりの音を出すことができる。
【発明を実施するための最良の形態】
【００１２】
容器の内部に料理小物部材を反転可能な状態で収納し、内部の第１の磁石が玩具本体の第２の磁石の磁力で反発して反転するようにするとともに、第２の磁石を上下動させて第１の磁石に接近させる動作と、ベルを鳴らす動作とが連動するようにした。
【実施例】
【００１３】
図１は、本発明に係るままごと玩具の１実施例の斜視図である。このままごと玩具は、料理を模した料理小物部材Ａと、電子レンジを模した玩具本体Ｂとから構成されている。
【００１４】
料理小物部材Ａは、図２に示されるように、料理部材１と容器部材２とから成り、料理部材１は表裏にそれぞれ調理前、調理後の造型１ａ、１ｂを有している。また、容器部材２は皿などの料理を盛る容器を模した形状をなし、料理部材１を反転可能に収納するように構成されている。なお、料理部材１はその両側の端面が容器部材２の内面に当って、浮いた状態で収納される必要はない。容器部材２の底面に料理部材１の裏面が当接するようになっていてもよい。
【００１５】
また、料理部材１の内部には第１の磁石３が埋設されている（図４参照）。第１の磁石３の両極は表側と裏側に向くように埋設されている。
【００１６】
玩具本体Ｂは電子レンジを模した形状をなし、料理部材１を収納する収納部５と、収納部５を開閉する蓋６と、操作部７とが設けられている。収納部５の底部にはターンテーブル状の円台８が形成され、その上面には同心円状の環状溝９が形成されている。
【００１７】
また、収納部５の底部の下方には下室１０が、収納部５の一側部には側室１１が形成され、下室１０と側室１１とは連通している。そして、下室１０の内部には、図３に示されるように、上記円台８の裏側に、環状の第２の磁石４と、この磁石４を保持する磁石ホルダ１２が配置されている。第２の磁石４は第１の磁石と同極が相対するように配置される。さらに、磁石ホルダ１２は二股状の揺動アーム１３の両端に回動可能に支持されている。揺動アーム１３は棒状の基部の一端から二股状の分岐部１４を形成して成るもので、磁石ホルダ１２の両端の軸２４は分岐部１４の両端の長孔２５に支持されている。また、磁石ホルダ１２は、図４（ａ）に示されるように、円台８の裏側に垂直に設けられた案内軸１５に沿って同じ姿勢を保持したまま上下動できるようになっている。
【００１８】
上記揺動アーム１３の中途部は下室１０に設けられた軸１６によって回動自在に支持され、また、基部の先端は、側室１１の下部にまで延びている。
【００１９】
図５（ａ）に示されるように、側室１１には、上記操作部７と一体に形成された作動部材１７が上下動可能に配置され、作動部材１７の下端面には、上記揺動アーム１３の基部の先端１３ａが係合するように配置されている。また、作動部材１７の下部側面には突部１８が形成されている。この突部１８はハンマー部材１９に係合している。
【００２０】
ハンマー部材１９は、図６（ａ）に示されるように、側室１１に設けられた軸体２０に揺動可能に配置され、その一端には揺動アーム１３の先端１３ａに係合する溝部２１が形成されているとともに、他端には膨突部２２が形成されている。そして、ハンマー部材１９が揺動したときの揺動端の手前にはベル２３が取りつけられている。
【００２１】
以上のように、作動部材１７と揺動アーム１３と磁石ホルダ１２とによって第２の磁石４を上下動させる動作機構が構成され、また、作動部材１７とハンマー部材１９とベル２３とによりベルの叩き機構が構成されている。そして、作動部材１７の操作部７の操作による磁石の動作機構とベルの叩き機構とは連動するようになっている。
【００２２】
次に、上記ままごと玩具の使用態様について説明すると、まず料理部材１を表側の調理前の造型１ａの方を上にして容器部材２の内部に収納し、玩具本体Ｂの蓋６を開いて収納部５に収納する。このとき、環状溝９に容器部材２の底部の環状突部を係合させて料理小物部材Ａが円台８の上面に沿って動かないようにする。その後、図６（ｂ）のように操作部７を押し下げると、ベルの叩き機構も作動し、作動部材１７によってハンマー部材１９が揺動するので、先端膨突部２２がベルを叩く。これによって、電子レンジで設定時間が満了したときに鳴る「チーン」という音と同じ音が鳴る。
【００２３】
ところで、操作部７を押し下げると、磁石動作機構が作動し、図４（ｂ）および図５（ｂ）のように揺動アーム１３が揺動して磁石ホルダ１２を上動させる。これにより、磁石ホルダ１２に保持された第２の磁石４が上動するので、第２の磁石４は料理部材１の内部に埋設された第１の磁石３に接近する。２つの磁石において向き合う極は同じであるから、その反発力により第１の磁石３とともに料理部材１は浮き上がる。ところで、第１の磁石３は第２の磁石４により近い方がより大きな反発力を受ける。したがって、料理部材１は大きな反発力を受けた方がより大きく跳ねあがるので反転する。反転すると、裏側の調理済みの造型が表側に現われるとともに、このときの第１の磁石３は第２の磁石４と吸着するように作用するので、料理部材１は反転した状態で安定する。
【００２４】
このように、磁石の動作機構とベルの叩き機構とは連動するので、ベルの音がした後に、蓋６を開けて料理小物部材Ａを取り出すと、調理済みの状態で現われる。したがって、電子レンジによる調理を擬似的に実現することができる。
【００２５】
操作部７を押し下げた後は、操作部７から手を離せば、第２の磁石４と磁石ホルダ１２の重量によって揺動アーム１３は逆方向に揺動し、磁石ホルダ１２は下動するとともに、作動部材１７は上方に移動するから、ハンマー部材１９も元の位置に揺動する。これにより、初期状態となる。
【００２６】
以上のように、料理小物部材Ａの反転は磁石によって行なわれ、操作部７の上下動は重量配分によって行なわれるので、電気もバネも使わないシンプルな構造になっている。したがって、コストも低く抑えることができる。
【産業上の利用可能性】
【００２７】
磁石の反発力を利用して部材を回転させる機構はいろいろな玩具や他の用途に適用することができる。
【図面の簡単な説明】
【００２８】
【図１】ままごと玩具の１実施例の斜視図である。
【図２】料理小物部材の分解斜視図である。
【図３】容器部材の下室の底面図である。
【図４】（ａ）（ｂ）はそれぞれ図３のＸ−Ｘ線上の断面で示した作動態様説明図である。
【図５】（ａ）（ｂ）はそれぞれ図３のＹ−Ｙ線上の断面で示した作動態様説明図である。
【図６】（ａ）（ｂ）はそれぞれ側室の内部構造とともに示す作動態様説明図である。
【符号の説明】
【００２９】
１    料理部材
２    容器部材
３    第１の磁石
４    第２の磁石
【図１】
2005034440.tif 000003
【図２】
2005034440.tif 000004
【図３】
2005034440.tif 000005
【図４】
2005034440.tif 000006
【図５】
2005034440.tif 000007
【図６】
2005034440.tif 000008